(57)【特許請求の範囲】
【請求項１】
最下位装置と中間装置と最上位装置との階層構造を持つ通信システムの故障検出を行う故障検出システムであって、
前記通信システムを構成する複数の最下位装置それぞれに対応して設置されており、発用試験端末から対応する最下位装置に発信して試験信号を送受信し、対応する最下位装置から着用試験端末で着信して試験信号を送受信し接続試験を行う故障検出装置と、
前記中間装置と前記最上位装置それぞれに対応して設置されており、前記故障検出装置から試験結果を通知されて故障が発生した被疑箇所が前記最下位装置と前記中間装置と前記最上位装置のいずれであるかを分析するマネージャ装置と、
前記マネージャ装置から分析結果を通知されて分析結果を表示するセンタ装置を
有することを特徴とする故障検出システム。
【請求項２】
請求項１記載の故障検出システムで用いる故障検出装置であって、
前記通信システムの最下位装置に発信する発用試験端末と、
前記通信システムの最下位装置から着信する着用試験端末と、
試験信号を生成して前記発用試験端末と前記着用試験端末のうち一方の端末に送信のために供給する試験信号生成手段と、
前記試験信号を前記発用試験端末と前記着用試験端末のうち他方の端末から受信した試験信号を判定する判定手段と、
前記故障検出システムのマネージャ装置との通信を行う装置間通信用端末を有し、
前記装置間通信用端末にて前記判定手段の判定結果を前記マネージャ装置に通知することを特徴とする故障検出装置。
【請求項３】
請求項１記載の故障検出システムで用いるマネージャ装置であって、
前記故障検出システムの故障検出装置または他のマネージャ装置または前記センタ装置との通信を行う装置間通信用端末と、
前記装置間通信用端末にて前記故障検出装置から受信した判定結果から故障が発生した被疑箇所が前記最下位装置と前記中間装置と前記最上位装置のいずれであるかを分析する分析手段を有し、
前記装置間通信用端末にて前記分析手段の分析結果を前記他のマネージャ装置または前記センタ装置に通知することを特徴とするマネージャ装置。
【請求項４】
請求項１記載の故障検出システムで用いるセンタ装置であって、
前記故障検出システムのマネージャ装置との通信を行う装置間通信用端末と、
前記装置間通信用端末にて前記マネージャ装置から受信した分析結果を表示する表示手段を
有することを特徴とするセンタ装置。
【請求項５】
請求項１記載の故障検出システムにおいて、
前記試験信号は音声信号であることを特徴とする故障検出システム。
出システム。
【発明の詳細な説明】
【技術分野】
【０００１】
本発明は、故障検出システム及びその故障検出装置及びマネージャ装置及びセンタ装置に関し、階層構造を持つ通信システムの故障検出を行う故障検出システム及びその故障検出装置及びマネージャ装置及びセンタ装置に関する。
【背景技術】
【０００２】
近年、通信システムによって提供されるサービスが複雑化するなか、フィールド異常検出能力の充実、被疑装置切り分けの迅速化、及び省力化が可能な仕組みが望まれている。また、サービスの顧客満足度向上のために、実際にユーザが体験する不具合を検出する仕組みが望まれている。
【０００３】
従来の電話等の通信システムにおける故障検出は、通信システム内に監視機能を組み込み、監視機能から発せられる警報により故障の種類や場所を特定しており、通信システム内に組み込まれた監視機能によって検出できない不具合は、ユーザが通信システムのコールセンタに寄せるクレームによって、人が故障の種類や被疑装置を推定している。また、電話の音声導通試験は、電話機を用いた人手による音声聴取確認によって行っている。
【０００４】
音声に関する自動試験方法は様々な方法が考案されているが、通信システム内部に結合して設置される装置を使用するものである（特許文献１参照）。
【０００５】
なお、特許文献２には、試験装置は通信網、移動通信交換機、無線基地局を経由して移動端末にオーディオ試験信号を送信し、移動端末にて返送されたオーディオ試験信号と送信したオーディオ試験信号とを比較して通信路の正常／異常を判定することが記載されている。
【０００６】
特許文献３には、網からの発信信号に応じて自動着信し、回線からの加入者番号と音声信号を記憶し、回線断としたのち記憶した加入者番号を参照して自動発信し再生音精神号を送出する通話試験装置が記載されている。
【０００７】
特許文献４には、人の音声に類似したスペクトルを有し理解可能な内容で単一話者には相当しない試験信号を発生し、被試験装置で歪を受けた試験信号を分析して知覚評価を行うことが記載されている。
【特許文献１】特開２００２−７７０７０号公報
【特許文献２】特開平１１−２２５１２１号公報
【特許文献３】特開平０８−３３５９０５号公報
【特許文献４】特表平０８−５０１９１０号公報
【発明の開示】
【発明が解決しようとする課題】
【０００８】
通信システム内に組み込まれた監視機能では、音声の片通話、無音などのように検出できない不具合がある。また、通信システム内に組み込まれた監視機能から発せられる警報は、通信システムを構成する個々の装置の故障を示しており、実際にユーザが遭遇する不具合とは一致しない場合があり、実際にユーザが体験する不具合の検出とは言えないといった問題があった。
【０００９】
特に、複数の装置の連携により実現されているサービスでは、装置の故障がサービスに与える影響が特定しづらい場合がある。ユーザが不具合に気づいたときコールセンタ等に寄せるクレームは、発生箇所や発生時間、発生現象などの情報が曖昧であるため、これらのクレームから被疑箇所を特定することは困難であり、被疑装置の切り分けに時間と人手がかるという問題があった。
【００１０】
また、ユーザが不具合に気づいても、必ずしもクレームするとは限らないため、不具合が発生したことすら認識できない場合がある。なお、一般的には、「クレームが１件あると、問題を抱えた顧客が他にも２４人存在する」と言われている。
【００１１】
人手による音声聴取確認には長時間の繰り返し試験が必要であり、作業者の肉体的、精神的な負担となる。さらに、広範囲に渡る試験を実施する場合、人件費等のコストも膨大なものになるといった問題があった。
【００１２】
本発明は、上記の点に鑑みなされたものであり、ユーザが体験する不具合を検出でき、障害の被疑箇所の特定を正確かつ迅速に行うことができる故障検出システム及びその故障検出装置及びマネージャ装置及びセンタ装置を提供することを目的とする。
【課題を解決するための手段】
【００１３】
本発明は、最下位装置と中間装置と最上位装置との階層構造を持つ通信システムの故障検出を行う故障検出システムであって、
前記通信システムを構成する複数の最下位装置それぞれに対応して設置されており、発用試験端末から対応する最下位装置に発信して試験信号を送受信し、対応する最下位装置から着用試験端末で着信して試験信号を送受信し接続試験を行う故障検出装置と、
前記中間装置と前記最上位装置それぞれに対応して設置されており、前記故障検出装置から試験結果を通知されて故障が発生した被疑箇所が前記最下位装置と前記中間装置と前記最上位装置のいずれであるかを分析するマネージャ装置と、
前記マネージャ装置から分析結果を通知されて分析結果を表示するセンタ装置を
有することにより、ユーザが体験する不具合を検出でき、障害の被疑箇所の特定を正確かつ迅速に行うことができる。
【００１４】
また、本発明は、請求項１記載の故障検出システムで用いる故障検出装置であって、
前記通信システムの最下位装置に発信する発用試験端末と、
前記通信システムの最下位装置から着信する着用試験端末と、
試験信号を生成して前記発用試験端末と前記着用試験端末のうち一方の端末に送信のために供給する試験信号生成手段と、
前記試験信号を前記発用試験端末と前記着用試験端末のうち他方の端末から受信した試験信号を判定する判定手段と、
故障検出システムのマネージャ装置との通信を行う装置間通信用端末を有し、
前記装置間通信用端末にて前記判定手段の判定結果を前記マネージャ装置に通知することにより、故障検出システムを実現することができる。
【００１５】
また、本発明は、請求項１記載の故障検出システムで用いるマネージャ装置であって、
故障検出システムの故障検出装置または他のマネージャ装置またはセンタ装置との通信を行う装置間通信用端末と、
前記装置間通信用端末にて前記故障検出装置から受信した判定結果から故障が発生した被疑箇所が前記最下位装置と前記中間装置と前記最上位装置のいずれであるかを分析する分析手段を有し、
前記装置間通信用端末にて前記分析手段の分析結果を前記他のマネージャ装置または前記センタ装置に通知することにより、故障検出システムを実現することができる。
【００１６】
また、本発明は、請求項１記載の故障検出システムで用いる故障検出システムのセンタ装置であって、
前記故障検出システムのマネージャ装置との通信を行う装置間通信用端末と、
前記装置間通信用端末にて前記マネージャ装置から受信した分析結果を表示する表示手段を有することにより、故障検出システムを実現することができる。
【００１７】
前記故障検出システムにおいて、
前記試験信号は音声信号であることができる。
【発明の効果】
【００１８】
本発明によれば、ユーザが体験する不具合を検出でき、障害の被疑箇所の特定を正確かつ迅速に行うことができる。
【発明を実施するための最良の形態】
【００１９】
以下、図面に基づいて本発明の実施形態について説明する。
【００２０】
＜通信システムの構成＞
図１は、本発明が適用される階層構造を持つ通信システムの一実施形態の構成図を示す。同図中、最下位装置ｄ−１〜ｄ−９は、ＰＤＣシステムとＩＭＴ−２０００ではＭＳ（無線基地局）であり、ユーザ端末１０が無線接続される。中間装置ｍ−１〜ｍ−３は、ＰＤＣシステムではＶ−ＭＳＣ、ＩＭＴ−２０００ではＭＳＣであり、最下位装置ｄ−１〜ｄ−９及び最上位装置ｕ−１に接続される。最上位装置ｕ−１は、ＰＤＣシステムではＧ−ＭＳＣ、ＩＭＴ−２０００ではＧＭＳＣである。
【００２１】
＜通信システムの構成＞
図２は、故障検出シテムの一実施形態の構成図を示す。同図中、故障検出装置Ｄ−１〜Ｄ−９は、階層構造の通信システムの最下位装置ｄ−１〜ｄ−９それぞれに対応して設置され、全ての故障検出装置Ｄ−１〜Ｄ−９が同期して、例えば音声呼の発着信試験、音声導通試験を行う。不具合を検出した故障検出装置Ｄ−１〜Ｄ−９は、不具合の種類、発生時刻を上位のマネージャ装置Ｍ−１〜Ｍ−３に通知する。
【００２２】
マネージャ装置Ｍ−１〜Ｍ−３，Ｕ−１は、通信システムの中間装置ｍ−１〜ｍ−３、最上位装置ｕ−１に対応して設置され、故障検出装置Ｄ−１〜Ｄ−９から不具合発生通知を受けて被疑箇所を分析し、分析結果をセンタ装置Ｓ−１に通知する。
【００２３】
センタ装置Ｓ−１は、通信システムの最上位装置ｕ−１に対応して設置され、マネージャ装置Ｍ−１〜Ｍ−３，Ｕ−１から被疑箇所の分析結果を受けてシステム管理者に対し表示する。
【００２４】
故障検出装置Ｄ−１〜Ｄ−９は、それぞれ図１における通信システムの最下位装置ｄ−１〜ｄ−９それぞれの無線エリア内に設置する。マネージャ装置Ｍ−１〜Ｍ−３は、それぞれ図１における通信システムの中間装置ｍ−１〜ｍ−３に対応して設置しているが、必ずしも中間装置ｍ−１〜ｍ−３に対応して設置する必要はなく、マネージャ装置Ｍ１〜Ｍ−３を故障検出装置Ｄ−１〜Ｄ−９のいずれかに同居させるような実装形態もある。また、マネージャ装置Ｕ−１は、最上位装置ｕ−１に対応して設置しているが、必ずしも最上位装置ｕ−１に対応して設置する必要はなく、マネージャ装置Ｕ−１をマネージャ装置Ｍ１〜Ｍ−３または故障検出装置Ｄ−１〜Ｄ−９のいずれかに同居させるような実装形態もある。
【００２５】
＜故障検出装置の構成＞
図３は故障検出装置の一実施形態のブロック図を示し、図４は故障検出装置の一実施形態の外観斜視図を示す。
【００２６】
故障検出装置は、筐体３１内に設けられた装置構成格納部３２と、シナリオ格納部３３と、シナリオ制御部３４と、試験制御部３５と、送信制御部３６と、筐体３１外に設けられた発用と着用の試験端末３７，３８と、装置間通信用端末３９から構成されている。
【００２７】
装置構成格納部３２は、故障検出システムの装置構成情報、すなわちＤ−１〜Ｄ−９，Ｍ−１〜Ｍ−３，Ｕ−１それぞれの電話番号等の情報を格納する。シナリオ格納部３３は、試験開始時刻、使用移動機情報、電話番号、故障検出の動作シーケンス等の故障検出装置が試験を実施するために必要な情報を格納する。
【００２８】
シナリオ制御部３４は、シナリオの内容に従った音声試験を試験制御部３５に指示し、試験制御部３５から返って来た試験結果を分析して不具合の有無を検証する。不具合があれば、その内容を「未確定被疑申告」にまとめ、上位マネージャ装置への送信を送信制御部３６に指示する。
【００２９】
試験制御部３５は、シナリオ制御部３４からの指示を受け、故障検出装置に接続されている試験端末３７，３８を使用して例えば音声発着呼及び音声疎通を実施し、結果をシナリオ制御部３４に返す。
【００３０】
送信制御部３６は、装置間通信用端末３９を用い「未確定被疑申告」を上位マネージャ装置に送信する。試験端末３７は、音声試験の発信側に用いる携帯電話機である。試験端末３８は、音声試験の着信側に用いる携帯電話機である。装置間通信用端末３９は、故障検出装置とマネージャ装置間の通信に用いる携帯電話機である。
【００３１】
図５は、故障検出装置の試験制御部３５の一実施形態のブロック図を示す。同図中、発信試験制御部４１は、音声発信試験全体を制御する。着信試験制御部４２は、音声着信試験全体を制御する。発信端末制御部４３は、試験端末３７を制御する。着信端末制御部４４は、試験端末３８を制御する。
【００３２】
音声生成部４５は、着信試験制御部４２または発信端末制御部４３の制御により音声信号を生成し、音声スイッチ４６を通して試験端末３７，３８のイヤホンマイク端子３７ａ，３８ａに送り込む。音声判定部４７は、予め発信試験制御部４１または着信試験制御部４２から入力された音声信号の条件を用い、試験端末３７，３８のイヤホンマイク端子３７ａ，３８ａから音声スイッチ４６を通して受信した音声信号を判定し、判定結果を着信試験制御部４２または発信端末制御部４３に通知する。
【００３３】
スイッチ制御部４８は、着信試験制御部４２または発信端末制御部４３の制御により音声スイッチ４６の切り替えを制御する。音声スイッチ４６は、試験端末３７，３８のイヤホンマイク端子と接続し、ライン入力とライン出力の切り替えを行う。
【００３４】
ここでの試験制御部３５は、音声呼の音声疎通の不具合を検出する機能であるが、試験制御部３５を他の呼種、サービスに対応したものに入れ替えることにより、パケット通信データ、メール、データ通信等の様々な呼種やサービスの不具合を検出することができる。
【００３５】
＜故障検出装置の動作＞
（１）シナリオ制御部３４は、シナリオに従って、試験制御部３５へ「試験開始」を送信する。
【００３６】
（２）試験制御部３５は「試験開始」に従って、試験端末３７と試験端末３８を用いて音声試験を実施し、「試験結果」をシナリオ制御部３４へ返す。
【００３７】
（３）シナリオ制御部３４は「試験結果」の内容を精査し、不具合を検出すれば、「未確定被疑申告」を作成し、送信制御部３６へ送信を指示する。
【００３８】
（４）送信制御部３６は、装置構成格納部３２に格納されている装置構成に従い、自故障検出装置の上位に位置するマネージャ装置Ｍ−１〜Ｍ−３に対して、装置間通信制御用端末３９を用いて「未確定被疑申告」を送信する。
【００３９】
＜マネージャ装置の構成＞
図６は、マネージャ装置の一実施形態のブロック図を示す。同図中、マネージャ装置は、筐体内に設けられた装置構成格納部５１と、受信制御部５２と、被疑箇所分析部５３と、送信制御部５４と、筐体外に設けられた装置間通信用端末５５から構成されている。
【００４０】
装置構成格納部５１は、故障検出システムの装置構成情報、すなわちＤ−１〜Ｄ−９，Ｍ−１〜Ｍ−３，Ｕ−１それぞれの電話番号等の情報を格納する。受信制御部５２は、装置間通信用端末５５で受信した「未確定被疑申告」を受信し、被疑箇所分析部５３に供給する。
【００４１】
被疑箇所分析部５３は、受信制御部５２から供給された「未確定被疑申告」を分析し、被疑装置の絞込みを行う。絞込みの結果、被疑箇所の特定ができた場合は、センタ装置Ｓ−１に対する「確定被疑申告」の送信を送信制御部５４に指示し、被疑箇所の特定ができない場合は、さらに上位のマネージャ装置Ｕ−１に対する「未確定被疑申告」の送信を送信制御５４に指示する。
【００４２】
送信制御部５４は、装置間通信用端末５５を用いて、「未確定被疑申告」を上位マネージャ装置Ｕ−１に、「確定被疑申告」をセンタ装置に送信する。装置間通信用端末５５は、マネージャ装置とマネージャ装置間、またはマネージャ装置とセンタ装置間の通信に用いる携帯電話機である。
【００４３】
＜マネージャ装置の動作＞
（１）受信制御部５２は装置間通信用端末５５から「未確定被疑申告」を受信し、被疑箇所分析部５３に通知する。
【００４４】
（２）被疑箇所分析部５３は、下位の故障検出装置、あるいは下位のマネージャ装置から受信する「未確定被疑申告」を分析し、被疑箇所が特定できた場合は「確定被疑申告」をセンタ装置Ｓ−１に送信するため、被疑箇所が特定できない場合は「未確定被疑申告」を上位マネージャ装置Ｕ−１に送信するため、送信制御部５４に対して送信依頼する。
【００４５】
（３）送信制御部５４は、装置構成格納部５１に格納されている装置構成に従い、自マネージャ装置の上位に位置するマネージャ装置Ｕ−１、またはセンタ装置Ｓ−１に対して、装置間通信制御用端末５５を用いて「未確定／確定被疑申告」を送信する。
【００４６】
＜センタ装置の構成＞
図７は、センタ装置の一実施形態のブロック図を示す。同図中、センタ装置は、筐体内に設けられた受信制御部６１と、画面表示部６２と、筐体外に設けられた装置間通信用端末６３から構成されている。受信制御部６１は、装置間通信用端末６３から「確定被疑申告」を受信して画面表示部６２に供給する。画面表示部６２は、受信した「確定被疑申告」の内容を画面上に表示する。装置間通信用端末６３は、マネージャ装置とセンタ装置間の通信に用いる携帯電話機である。
【００４７】
＜センタ装置の動作＞
（１）受信制御部は装置間通信用端末６３から「確定被疑申告」を受信し、画面表示部６２に通知する。
【００４８】
（２）画面表示部６２は受信した「確定被疑申告」を画面に表示する。
【００４９】
＜音声試験のシーケンス＞
図８は、故障検出装置が実施する音声試験のシーケンスを示す。また、図９は上り音声疎通異常を検出するときのシーケンスを示し、図１０は下り音声疎通異常を検出するときのシーケンスを示す。なお、図中、括弧付きの番号は文章の番号と対応する。
【００５０】
（１）シナリオ制御部３４は、シナリオ格納部３３のシナリオに従って「試験開始」を試験制御部３５の発信試験制御部４１と着信試験制御部４２に送信する。「試験開始」には、使用する試験端末、相手電話番号、音声生成／判定のタイミングと時間、切断タイミングを付与する。音声生成／判定のタイミングと時間は、上り音声疎通や下り音声疎通が２台の試験端末３７，３８で同期をとって実施するために必要である。
【００５１】
（２）発信試験制御部４１は「試験指示」に従って、発信端末制御部４３に「発信指示」を送信する。「発信指示」には発信相手の電話番号を付与する。
【００５２】
（３）着信試験制御部４２は「試験指示」に従って、着信端末制御部４４に「着信待受指示」を送信する。「着信待受指示」には相手電話番号を付与する。
【００５３】
（４）発信端末制御部４３は「発信指示」に従って、試験端末３７をオフフックし、相手電話番号にダイヤルする。発信が完了すると「接続完了」を発信試験制御部４１に返す。
【００５４】
（５）着信端末制御部４４は「着信待受指示」を受信すると、試験端末３８からの着信を待ち受ける。相手電話番号に示された相手からの着信があれば、試験端末３８をオフフックし、「着信通知」を着信試験制御部４２に返す。
【００５５】
（６）発信試験制御部４１は、音声生成タイミングに指定されたタイミングで、音声生成部４５に「生成開始」を指示する。「生成開始」には音声を生成する時間を付与する。
【００５６】
（７）着信試験制御部４４は、音声判定タイミングに指定されたタイミングで、音声判定部４７に「判定開始」を指示する。「判定開始」には音声を判定する時間を付与する。
【００５７】
（８）音声生成部４５は、「生成開始」を受信すると、音声信号を生成して送信する。音声の生成は音声生成時間で指定された時間だけ継続して行う。
【００５８】
（９）音声判定部４７は、「判定開始」を受信すると、音声の入力を待つ。音声判定時間以内に有効な音声の入力が検出された場合は、上り音声疎通ＯＫと判定する。音声判定時間以内に有効な音声の入力が検出できなければ、上り音声疎通ＮＧと判定する。
【００５９】
ここで、故障検出装置Ｄ−１の試験端末３７から故障検出装置Ｄ−１の試験端末３８に対し発信する場合には、試験端末３７から送信された音声は、故障検出装置Ｄ−１が配置された無線エリアの最下位装置ｄ−１で受信されて、その上位の中間装置ｍ−１を経由して最下位装置ｄ−１に伝送され、最下位装置ｄ−１から故障検出装置Ｄ−１の試験端末３８で受信される。
【００６０】
また、故障検出装置Ｄ−１の試験端末３７から故障検出装置Ｄ−５の試験端末３８に対し発信する場合には、試験端末３７から送信された音声は、故障検出装置Ｄ−１が配置された無線エリアの最下位装置ｄ−１で受信されて、その上位の中間装置ｍ−１、最上位装置ｕ−１、中間装置ｍ−２を経由して最下位装置ｄ−５に伝送され、最下位装置ｄ−５から故障検出装置Ｄ−１の試験端末３８で受信される。
【００６１】
（１０）スイッチ制御部４８は音声スイッチ４６の切り替えを行う。
【００６２】
（１１）着信試験制御部４２は、音声生成タイミングに指定されたタイミングで、音声生成部４５に「生成開始」を指示する。「生成開始」には音声を生成する時間を付与する。
【００６３】
（１２）発信試験制御部４１は、音声判定タイミングに指定されたタイミングで、音声判定部４７に「判定開始」を指示する。「判定開始」には音声を判定する時間を付与する。
【００６４】
（１３）音声生成部４５は、「生成開始」を受信すると、音声信号を生成し、送信する。音声の生成は音声生成時間で指定された時間だけ継続して行う。
【００６５】
（１４）音声判定部４７は、「判定開始」を受信すると、音声の入力を待つ。音声判定時間以内に有効な音声の入力が検出された場合は、下り音声疎通ＯＫと判定する。音声判定時間以内に有効な音声の入力が検出できなければ、下り音声疎通ＮＧと判定する。
【００６６】
（１５）発信試験制御部４１は、切断タイミングに指定されたタイミングで、発信端末制御部４３に「切断指示」を送信する。
【００６７】
（１６）発信端末制御部４３は「切断指示」に従って、試験端末３７をオンフックし、呼を切断し「切断通知」を発信試験制御部４１に返す。
【００６８】
（１７）着信端末制御部４４は試験端末（着用）からの切断を待ち受ける。切断があれば「切断通知」を着信試験制御部４２に返す。
【００６９】
（１８）発信試験制御部４２は、「切断通知」を受信すると、結果の内容を付与した「試験結果」をシナリオ制御部３４へ送信する。
【００７０】
（１９）着信試験制御部４２は、「切断通知」を受信すると、結果の内容を付与した「試験結果」をシナリオ制御部３４へ送信する。
【００７１】
＜最下位装置が被疑の場合の故障検出システム全体の動作＞
図１１は、通信システムの最下位装置が被疑と判定される場合の故障検出システム全体の動作説明図を示す。なお、図中、括弧付きの番号は文章の番号と対応し、破線の矢印は未確定被疑申告を表わし、実線の矢印は確定被疑申告を表わす。
【００７２】
（１）各故障検出装置Ｄ−１〜Ｄ−９それぞれは、シナリオに定義された試験開始時刻になると、音声試験を開始する。
【００７３】
（２）故障検出装置Ｄ−５のみの試験結果から上り音声疎通異常（または下り音声疎通異常）が検出されると、故障検出装置Ｄ−５は、対応する最下位装置ｄ−５に関する「未確定被疑申告」を作成し、マネージャ装置Ｍ−２に送信する。その他の故障検出装置は異常が検出されなかったため、何もしない。
【００７４】
（３）マネージャ装置Ｍ−２は、配下の故障検出装置Ｄ−４〜Ｄ−６のうち、故障検出装置Ｄ−５）からのみ「未確定被疑」を受信し、他の故障検出装置からは何も受信しないことから、被疑箇所は故障検出装置Ｄ−５に対応する最下位装置ｄ−５であると断定し、最下位装置ｄ−５に関する「確定被疑申告」を作成し、センタ装置Ｓ−１に送信する。
【００７５】
（４）センタ装置Ｓ−１は最下位装置ｄ−５の被疑を表示する。
【００７６】
＜中間装置が被疑の場合の故障検出システム全体の動作＞
図１２は、通信システムの中間装置が被疑と判定される場合の故障検出システム全体の動作説明図を示す。なお、図中、括弧付きの番号は文章の番号と対応し、破線の矢印は未確定被疑申告を表わし、実線の矢印は確定被疑申告を表わす。
【００７７】
（１）各故障検出装置Ｄ−１〜Ｄ−９はシナリオに定義された試験開始時刻になると、音声試験を開始する。
【００７８】
（２）故障検出装置Ｄ−４〜Ｄ−６の試験結果から上り音声疎通異常（または下り音声疎通異常）が検出されると、故障検出装置Ｄ−４〜Ｄ−６はそれぞれ対応する最下位装置ｄ−４〜ｄ−６に関する「未確定被疑申告」を作成し、マネージャ装置Ｍ−２に送信する。
【００７９】
（３）マネージャ装置Ｍ−２は、配下の故障検出装置Ｄ−４〜Ｄ−６の全てから「未確定被疑」を受信したことから、被疑箇所は故障検出装置Ｄ−３〜Ｄ−５に対応する最下位装置ｄ−４〜ｄ−６で同時に障害が発生することは稀であり、被疑箇所はそれらを束ねる中間装置ｍ−２であると判断し、中間装置ｍ−２に関する「未確定被疑申告」を作成し、上位マネージャ装置Ｕ−１に送信する。
【００８０】
（４）マネージャ装置Ｕ−１は、配下のマネージャ装置Ｍ−１〜Ｍ−３のうち、マネージャ装置Ｍ−２からのみ「未確定被疑」を受信し、他のマネージャ装置からは何も受信しないことから、被疑箇所はマネージャ装置Ｍ−２に対応する中間装置ｍ−２であると判断し、中間装置ｍ−２に関する「確定被疑申告」を作成し、センタ装置Ｓ−１に送信する。
【００８１】
（５）センタ装置Ｓ−１は中間装置ｍ−２の被疑を表示する。
【００８２】
＜最上位装置が被疑の場合の故障検出システム全体の動作＞
図１３は、通信システムの最上位装置が被疑と判定される場合の故障検出システム全体の動作説明図を示す。なお、図中、括弧付きの番号は文章の番号と対応し、破線の矢印は未確定被疑申告を表わし、実線の矢印は確定被疑申告を表わす。
【００８３】
（１）各故障検出装置Ｄ−１〜Ｄ−９はシナリオに定義された試験開始時刻になると、音声試験を開始する。
【００８４】
（２）故障検出装置Ｄ−１〜Ｄ−９の試験結果から上り音声疎通異常（または下り音声疎通異常）が検出されると、故障検出装置Ｄ−１〜Ｄ−９はそれぞれ、対応する最下位装置ｄ−１〜ｄ−９に関する「未確定被疑申告」を作成し、それぞれの上位マネージャ装置Ｍ−１〜Ｍ−３に送信する。
【００８５】
（３）マネージャ装置Ｍ−１〜Ｍ−３は、それぞれの配下故障検出装置のすべてから「未確定被疑」を受信したことから、被疑箇所はそれらを束ねる中間装置ｍ−１〜ｍ−３であると判断し、それぞれ中間装置ｍ−１〜ｍ−３に関する「未確定被疑申告」を作成し、上位マネージャ装置Ｕ−１に送信する。
【００８６】
（４）マネージャ装置Ｕ−１は、配下のマネージャ装置Ｍ−１〜Ｍ−３のすべてから「未確定被疑」を受信したことから、被疑箇所はマネージャ装置Ｕ−１に対応する最上位装置ｕ−１であると断定し、最上位装置ｕ−１に関する「確定被疑申告」を作成し、センタ装置Ｓ−１に送信する。
【００８７】
（５）センタ装置Ｓ−１は最上位装置ｕ−１の被疑を表示する。
【００８８】
このように、本実施形態では、ユーザが実際に使用する端末３７，３８を用いて試験を行うことにより、従来は検出ができなかった音声の片通話、無音の不具合を検出できるようになる。実際にユーザが体験する不具合を検出することができるため、複数の装置の連携により実現されているサービスの不具合を現象面から検出できる。
【００８９】
また、従来はユーザからの不確実なクレームに頼っていた不具合を、確実に収集することができることで、不具合の発生現象、発生時刻、発生場所がより確実に、より正確に把握できる。また、故障検出装置が検出した不具合状況をマネージャ装置が分析することにより、障害の被疑箇所の特定が正確かつ迅速に行うことができるとともに、サービスの提供不能範囲がリアルタイムに把握することができる。障害切り分けの迅速化及び省力化を実現できる。
【００９０】
なお、音声生成部４５が請求項記載の試験信号生成手段に相当し、音声判定部４７が判定手段に相当し、被疑箇所分析部５３が分析手段に相当し、画面表示部６２が表示手段に相当し、音声スイッチ４６がスイッチ手段に相当する。
（付記１）
階層構造を持つ通信システムの故障検出を行う故障検出システムであって、
前記通信システムを構成する複数の最下位装置それぞれに対応して設置されており、発用試験端末から対応する最下位装置に発信して試験信号を送受信し、対応する最下位装置から着用試験端末で着信して試験信号を送受信し接続試験を行う故障検出装置と、
前記故障検出装置から試験結果を通知されて故障が発生した被疑箇所を分析するマネージャ装置と、
前記マネージャ装置から分析結果を通知されて分析結果を表示するセンタ装置を
有することを特徴とする故障検出システム。
（付記２）
階層構造を持つ通信システムの故障検出を行う故障検出システムの故障検出装置であって、
前記通信システムの最下位装置に発信する発用試験端末と、
前記通信システムの最下位装置から着信する着用試験端末と、
試験信号を生成して前記発用試験端末と着用試験端末のうち一方の端末に送信のために供給する試験信号生成手段と、
前記試験信号を前記発用試験端末と着用試験端末のうち他方の端末から受信した試験信号を判定する判定手段と、
故障検出システムのマネージャ装置との通信を行う装置間通信用端末を有し、
前記装置間通信用端末にて判定結果を前記マネージャ装置に通知することを特徴とする故障検出装置。
（付記３）
階層構造を持つ通信システムの故障検出を行う故障検出システムのマネージャ装置であって、
故障検出システムの故障検出装置または他のマネージャ装置またはセンタ装置との通信を行う装置間通信用端末と、
前記装置間通信用端末にて前記故障検出装置から受信した判定結果から故障が発生した被疑箇所を分析する分析手段を有し、
前記装置間通信用端末にて分析結果を前記他のマネージャ装置または前記センタ装置に通知することを特徴とするマネージャ装置。
（付記４）
階層構造を持つ通信システムの故障検出を行う故障検出システムのセンタ装置であって、
故障検出システムのマネージャ装置との通信を行う装置間通信用端末と、
前記装置間通信用端末にて前記マネージャ装置から受信した分析結果を表示する表示手段を
有することを特徴とするマネージャ装置。
（付記５）
付記１記載の故障検出システムにおいて、
前記試験信号は音声信号であることを特徴とする故障検出システム。
（付記６）
付記２記載の故障検出装置において、
前記試験信号生成手段は、試験信号として音声信号を生成することを特徴とする故障検出装置。
（付記７）
付記２または６記載の故障検出装置において、
前記発用試験端末と前記着用試験端末を切り替え、いずれか一方の端末に前記試験信号生成手段で生成した試験信号を供給し、他方の端末で受信した試験信号を前記判定手段に供給するスイッチ手段を
有することを特徴とする故障検出装置。
【図面の簡単な説明】
【００９１】
【図１】本発明が適用される階層構造を持つ通信システムの一実施形態の構成図である。
【図２】故障検出シテムの一実施形態の構成図である。
【図３】故障検出装置の一実施形態のブロック図である。
【図４】故障検出装置の一実施形態の外観斜視図である。
【図５】故障検出装置の試験制御部の一実施形態のブロック図である。
【図６】マネージャ装置の一実施形態のブロック図である。
【図７】センタ装置の一実施形態のブロック図である。
【図８】故障検出装置が実施する音声試験のシーケンスである。
【図９】上り音声疎通異常を検出するときのシーケンスである。
【図１０】下り音声疎通異常を検出するときのシーケンスである。
【図１１】通信システムの最下位装置が被疑と判定される場合の故障検出システム全体の動作説明図である。
【図１２】通信システムの中間装置が被疑と判定される場合の故障検出システム全体の動作説明図である。
【図１３】通信システムの最上位装置が被疑と判定される場合の故障検出システム全体の動作説明図である。
【符号の説明】
【００９２】
ｄ−１〜ｄ−９  最下位装置
ｍ−１〜ｍ−３  中間装置
ｕ−１  最上位装置
Ｄ−１〜Ｄ−９  故障検出装置
Ｍ−１〜Ｍ−３，Ｕ−１  マネージャ装置
Ｓ−１  センタ装置
３１  筐体
３２  装置構成格納部
３３  シナリオ格納部
３４  シナリオ制御部
３５  試験制御部
３６  送信制御部
３７，３８  試験端末
３９，５５，６３  装置間通信用端末
４１  発信試験制御部
４２  着信試験制御部
４３  発信端末制御部
４４  着信端末制御部
４５  音声生成部
４６  音声スイッチ
４７  音声判定部
４８  スイッチ制御部
５１  装置構成格納部
５２  受信制御部
５３  被疑箇所分析部
５４  送信制御部
６１  受信制御部
６２  画面表示部
【図１】
0004519061.tif 000002
【図２】
0004519061.tif 000003
【図３】
0004519061.tif 000004
【図４】
0004519061.tif 000005
【図５】
0004519061.tif 000006
【図６】
0004519061.tif 000007
【図７】
0004519061.tif 000008
【図８】
0004519061.tif 000009
【図９】
0004519061.tif 000010
【図１０】
0004519061.tif 000011
【図１１】
0004519061.tif 000012
【図１２】
0004519061.tif 000013
【図１３】
0004519061.tif 000014